(57)【要約】【課題】複雑な構成とすることなく低音周波数特性においても良好な効果が得られ、かつ、ノイズキャンセル用マイクロホンを用いた場合のノイズキャンセル精度を高めることができるイヤホンを提供する。【解決手段】  ドライバユニット８を収容するハウジング２と、ハウジング２におけるドライバユニット８の背面側空間２０に連通する筐体部４とを備え、筐体４の内部は、複数の空間４Ｃ，４Ｄに隔絶され、複数の空間は、少なくともドライバユニット背面側空間２０に連通してドライバユニット背面側空間２０の容積を大きくすることができる中空の第１の空間４Ｃと、外部ノイズを検知可能なマイクロホン１０が収容された第２の空間４Ｄからなり、第１の空間４Ｃと第２の空間４Ｄは隔壁９１によって音響的に隔絶されている。【選択図】        図２
2011188177.tif 000002
【特許請求の範囲】
【請求項１】
ドライバユニットを収容するハウジングと、
上記ハウジングにおける上記ドライバユニット背面側空間に連通する筐体部と、を備え、
上記筐体部の内部は複数の空間に隔絶され、
上記複数の空間は、少なくとも上記ドライバユニット背面側空間に連通して上記ドライバユニット背面側空間の容積を大きくすることができる中空の第１の空間と、外部ノイズを検知するマイクロホンが収容された第２の空間からなり、
上記第１の空間と上記第２の空間は隔壁によって音響的に隔絶されていることを特徴とするイヤホン。
【請求項２】
筐体部には、第１の空間を外部に連通させてドライバユニットの振動板の背面側に生じる背圧を外部に開放するための背圧開放孔が設けられている請求項１に記載のイヤホン。
【請求項３】
マイクロホンの収音中心軸とドライバユニットの放音中心軸が互いに直交するように上記マイクロホンと上記ドライバユニットが配置されている請求項１または２に記載のイヤホン。
【請求項４】
筐体部は、筒状の本体部分と、この本体部分の両側に結合された２つの外郭部とによって構成され、上記本体部分に隔壁が一体に形成されている請求項１乃至３のいずれかに記載のイヤホン。
【請求項５】
ハウジングは前面側周壁とこの前面側周壁に嵌められた背面側周壁によって構成され、上記背面側周壁は、筐体部を構成する本体部分と一体成形されている請求項４に記載のイヤホン。
【請求項６】
使用時において、筐体部を構成する２つの外郭部の一方は外側面が前面になり、この前面は意匠面として用いることができる請求項４に記載のイヤホン。
【発明の詳細な説明】
【技術分野】
【０００１】
本発明は、音響機器として使用されるイヤホンに関するもので、特にカナル型イヤホンの音響特性改善構造及び例えばノイズキャンセルイヤホンを構成するためのマイクロホンを収納するのに適した構造に関する。
【背景技術】
【０００２】
従来、音響機器として使用されるイヤホンにおいて、音響特性の改善の方法、特に、ドライバユニット側の振動板が振動した際に発生する背圧によってその振動が妨げられてしまうのを防止する方法として、上記イヤホンのハウジングの一部に孔を設け、さらにこの孔に音響抵抗材を設けて音響特性を調整するものがあった。例えば、従来の上記イヤホンは、一般的に図３に示すように構成されている。
【０００３】
図３において、ハウジング１０２は、椀状の形状をしており、この内部にドライバユニット１０３が備えられ、前面に放音をするための開口部１１０が形成されている。ドライバユニット１０３は、一般的にヨーク１０４を有し、その内部に円状のマグネット１０５を介して円盤状のポールピース１０６が装着されている。
【０００４】
ポールピース１０６との対向面側に振動板１０７が取り付けられ、振動板１０７にはボイスコイル１０８が装着されている。ボイスコイル１０８は、ヨーク１０４とポールピース１０６の間に形成されている磁気ギャップ内に位置している。ハウジング１０２の背面には、孔１０９が設けられ、孔１０９のハウジング１０２内面側には音響抵抗材１１１が設けられている。
【０００５】
また、低域限界周波数を拡張するための手段として、図４に示すように、低音補償用パイプ１１２を付加したイヤホンが知られている。その基本構成は、図３に示す例と同様であり、所定長及び所定径を有した低音補償用パイプ１１２を、ドライバユニット１０３を有したハウジング１０２の内部空間と連通させてハウジング１０２と一体に設けたものである。このようにすることで、低音補償用パイプ１１２の空間の作用によって、上記振動板における低域限界周波数を拡張することができる。
【０００６】
しかしながら、このような構成では、振動板の厚みや、上記低音補償用パイプの形状、内部容積が制限され、音響特性の改善には限界があった。
【０００７】
そこで、図５に示すようなイヤホンが特許文献１によって提案されている。図５に示すイヤホンは、第１のハウジング２０１と、第２のハウジング２０２が連結路２０３を介して連通した構成を用いている。第１のハウジング２０１には、図３、図４に記載したものと同様のドライバユニット１０３が設けられている。第２のハウジング２０２は中空になっていて、図４に示す例における低音補償用パイプ１１２の空間と同様の機能を担っている。さらに上記第２のハウジング２０２の内部空間に低音補償手段として機能する低音補償用振動板２０４が配置されている。このように構成することにより、中高音域の特性に影響を及ぼすことなく低域特性を改善することを目論んでいる。
【０００８】
ところで、イヤホンやヘッドホンには、イヤホンやヘッドホン内に侵入する外部からのノイズすなわち環境騒音を打ち消し、音楽の再生などの邪魔にならないようにしたノイズキャンセルタイプがある。これは、外来ノイズをマイクロホンによって検出し、この検出信号の逆位相のノイズキャンセル信号を生成してこれをドライバユニットに供給し、ノイズをキャンセルするようにしたものである（例えば、特許文献２参照）。
【先行技術文献】
【特許文献】
【０００９】
【特許文献１】特許２６４３９５６号公報
【特許文献２】特開平０８−２７５２８１号公報
【発明の概要】
【発明が解決しようとする課題】
【００１０】
しかしながら、特許文献１に記載されている図５に示すようなイヤホンによれば、低音保障に用いられる第２のハウジング２０２内には、低音限界周波数を下げるに足る慣性質量を持つ低音保障用振動板を特別に設けることが必要となる。このような低音保障用振動板は、自身の慣性質量が低音域の聴取範囲に影響するが、質量による感度変化、つまり再生音の聴取が困難となるという理由によりむやみに大きくすることができない。したがって、低音の再生域に限界があるだけでなく、低音域の再生を良好なものとするための特別な構成を要することから構成が複雑化する。
【００１１】
また、低音保障用振動板２０４は、第１のハウジング２０１側のドライバユニット１０３から伝搬する音波を確実に受け止めて、いわゆる、堰き止めることにより自身が振動することにより、ドライバユニットの振動板の最低共振周波数よりも低い周波数の音を得るようになっていることから、質量もそれなりに大きくする必要がある。このため、支持構造も強固にする必要があり、大型化する難点がある。
【００１２】
振動板１０３は一般的にポリエチレンテレフタレートなどからなる有機系の薄膜であって、低音保障用振動板２０４は金属となっていることから、両者の質量の違いが大きい。したがって、低音保障用振動板２０４は、実際に振動する時に、振動板１０３の背圧を受けるため、設計において計算通りに低音保障用振動板２０４を振動させるのは極めて困難である。実際には、低音保障用振動板２０４は、単なる音響抵抗になると窺える。さらに振動板１０３と、低音保障用振動板２０４を共存させて音響特性を調整するのも困難である。
【００１３】
図５に示すような特許文献１記載のイヤホンは、ドロンコーン型スピーカの技術思想を採り入れたものと思われる。ドロンコーン型スピーカは、スピーカユニットを取り付けたエンクロージャに、上記スピーカユニットの振動板とほぼ同じ径の振動板を有し、磁気回路やボイスコイルを持たないいわばダミーのユニットを取り付けたものである。ダミーのユニットの振動板は、スピーカユニットの振動板が振動することによって生じる背圧を受けて振動し、この振動によって生じる音波が放射されることにより、低音域の音圧レベルが高まるという効果を狙ったものである。ドロンコーン型スピーカは、スピーカユニットからの音波とともにダミーのユニットから音波が外部に放射され、この音波がユーザーの耳に届いて初めて効果があるものであって、イヤホンにおいて、図５に示すようなダミーの振動板を設けても、ダミーの振動板からの音波はユーザーの耳には入らず、ドロンコーン型スピーカのような効果は期待できない。
【００１４】
一方、ノイズキャンセルのためにマイクロホンを設ける場合には、ドライバユニットを収容しているハウジングの一部にマイクロホンを取り付けることになる。しかし、ハウジングにマイクロホンを取り付けると、ドライバユニットに近接した位置にマイクロホンが取り付けられることになり、ドライバユニットが駆動されるとその振動板の振動がマイクロホンに伝わりやすく、マイクロホンがハウリングを起こすことがあり得る。ハウリングを起こさないまでも、ドライバユニットの振動板の振動がマイクロホンに伝わると、精度のよいノイズキャンセルができない、あるいは楽音信号の一部がキャンセルされる、といった不具合を生じる要因になる。
【００１５】
本発明は、以上説明した従来のイヤホンの技術的課題を解決すること、すなわち、複雑な構成とすることなく低音周波数特性においても良好な効果が得られる構成、さらには、ノイズキャンセル用マイクロホンがドライバユニットの動作によってハウリングを起こしにくく、精度の良いノイズキャンセルを可能にしたイヤホンを提供することを目的としている。
【課題を解決するための手段】
【００１６】
本発明にかかるイヤホンは、ドライバユニットを収容するハウジングと、上記ハウジングにおけるドライバユニットの背面側空間に連通する筐体部と、を備え、上記筐体部の内部は複数の空間に隔絶され、上記複数の空間は、少なくともドライバユニット背面側空間に連通して上記ドライバユニット背面側空間の容積を大きくすることができる中空の第１の空間と、外部ノイズを検知するマイクロホンが収容された第２の空間からなり、上記第１の空間と第２の空間は隔壁によって音響的に隔絶されていることを最も主要な特徴とする。
【発明の効果】
【００１７】
本発明にかかるイヤホンよれば、ハウジング側のドライバユニット背面側空間に連結された筐体部を備えることでドライバユニット背面側空間の容積が第１の空間によって拡大されると共に、筐体部内部が隔壁により上記第１の空間と外部ノイズ検知用マイクロホンを収容する第２の空間という異質機能の空間に隔絶されている。
これにより、特別な慣性質量部材などを用いることなく低音域のレスポンスが改善されて音のこもりなどを生じることなく低音域の充実した再生音を得ることができる。また、低音域のレスポンス改善のために設けた筐体部を利用してノイズ検知用マイクロホンを設けるとともに、このマイクロホンを収容する第２の空間を、上記第１の空間から隔壁によって隔絶しているため、上記マイクロホンはドライバユニットの振動によるハウリングを起こすことがなく、精度の良いノイズキャンセルを行うことができる。
【図面の簡単な説明】
【００１８】
【図１】本発明にかかるイヤホンの実施例を示す外観斜視図である。
【図２】図１中の線（２）−（２）に沿う断面図である。
【図３】従来のイヤホンの例を示す縦断面図である。
【図４】従来のイヤホンの他の例を示す縦断面図である。
【図５】従来のイヤホンのさらに他の例を示す縦断面図である。
【発明を実施するための形態】
【００１９】
以下、本発明にかかるイヤホンの実施例について図面を参照しながら説明する。
図１において、イヤホン１は、主要な構成部分として、ハウジング２、筐体部４、ハウジング２に連通している放音管３およびイヤーピース５を備えている。なお、図１中、符号６は、リード線７の引き出し部を示している。
【００２０】
ハウジング２は、図２に示すように、割型で構成された椀状の周壁部２Ａ、２Ｂの対向縁を嵌め込むことで内部に空間が構成された中空状部材であり、内部の空間内には、図２に示すように、ドライバユニット８が収納されている。周壁部２Ａはハウジング２の前半部を構成し、周壁部２Ｂはハウジング２の後半部を構成している。放音管３は、ハウジング２から使用者の外耳道（図示されず）に向けて突出した状態で連通する管状部であり、その先端近傍には、図２に示すように、突出方向に沿って複数の環状凸部３Ａが形成されており、嵌め込まれたイヤーピース５が抜け落ちないように保持できるようになっている。
【００２１】
イヤーピース５は、内部に放音管３側の環状凸部３Ａに嵌合する凹状溝（図示されず）が形成され、この円筒状部材の先端部から折り返された半球状で柔軟な耳穴挿入部からなる。この耳穴挿入部が外耳道内に挿入されると、外耳道内面と密着して、音漏れによる低域再生能力の低下を軽減するようになっている。
【００２２】
筐体部４は、図２に示すように、ハウジング２に対して背負われた格好でハウジング２と一体化された部材であり、ハウジング２内のドライバユニット背面側空間２０と連通する空洞を内部に有している。この筐体部４に関する構成については、後で本発明の特徴として詳細を説明する。
【００２３】
筐体部４には、リード引き出し部６の基部が連結されており、リード引き出し部６は、イヤホン１の使用時に使用者の耳介の珠間切痕に嵌るように筐体部４の下部外周から珠間切痕側に向けて棒状に突出して設けられている。リード引き出し部６の内部はリード線７を挿通するための空洞部となっており、空洞部に挿通されたリード線７は外部の音響装置にリード線７が接続されることにより、ドライバユニット８への音声信号を送信できるようになっている。
【００２４】
以上のようなイヤホン１の構成に、次に説明するような本発明の特徴ある構成が付加されている。
本発明の特徴は、筐体部４の構成にある。具体的には、ハウジング２側のドライバユニット８の背面側空間に連通する空間の容積を拡大して、ドライバユニット背面側空間２０で生じる振動板の背圧の影響を軽減することと、筐体部４の空間の一部を利用して外部ノイズ検知用のマイクロホン１０を収容し、ドライバユニット８の動作によって上記マイクロホン１０がハウリングを起こすことを防止したことにある。
【００２５】
図２において、筐体部４は、割型構造になっていて、筒状の本体部分９と、この本体部分９の両側に結合された２つの外郭部４Ａ、４Ｂとによって構成されている。したがって、本体部分９が外郭部４Ａ、４Ｂにより挟み込まれた状態で一体化され、内部に空間が形成されている。上記本体部分９は有底円筒状の部材で、その底に該当する部分が隔壁９１となっている。隔壁９１は、上記本体部分９の、外郭部４Ｂが結合される側の端部に形成されている。筐体部４の本体部分９は、ハウジング２の背面側の周壁２Ｂとともに一体に成形されている。上記周壁２Ｂと上記外郭部４Ａ、４Ｂの結合部は、気密構造になっている。
【００２６】
一体成形された筐体部４とハウジング２の背面側の外郭部２Ｂとの間には連通孔９Ａが形成されている。この連通孔９Ａを介して、ハウジング２のドライバユニット背面側空間２０と、筐体部４の本体部分９Ａに外郭部４Ａが嵌合されることによって形成されている第１の空間４Ｃが連通している。
【００２７】
筐体部４内の空間は、本体部分９の隔壁９１を境にして、上記第１の空間４Ｃと、外郭部４Ｂおよび隔壁９１で囲まれた第２の空間４Ｄとが設けられている。換言すれば、筐体部４の内部は隔壁９１によって複数の空間に隔絶されている。筐体部４の本体部分９には、外郭部４Ａとの嵌合部近傍に、第１の空間４Ｃを外部に連通させ、ドライバユニット８の振動板の背面側に生じる背圧を外部に開放するための背圧開放孔９Ｃが形成されている。
【００２８】
一方、第２の空間４Ｄには、外郭部４Ｂに形成された外部ノイズ取り込み開口４Ｂ１に対向して外部ノイズ検知用マイクロホン１０が収容されている。外部ノイズ検知用マイクロホン１０は、筐体部４の外部に露出するのではなく、筐体部４の内部に収められた状態とされている。外部ノイズ取り込み開口４Ｂ１は、椀状に形成された外郭部４Ｂの底部中央に設けられていて、マイクロホン１０の収音中心軸が上記開口４Ｂ１を通るようにマイクロホン１０の位置及び姿勢が決められている。図２では、マイクロホン１０の収音中心軸が左右方向を向いている。一方、ドライバユニット８の放音中心軸は、マイクロホン１０の収音中心軸に対して直交するように、したがって、図２では上下方向を向くようにドライバユニット８の位置及び姿勢が決められている。なお、開口４Ｂ１は上述の位置に限らず、外郭部４Ｂの適宜の位置に設けることができる。
【００２９】
本実施例は以上のような構成であるから、ドライバユニット８を収容しているハウジング２には、ドライバユニット背面側空間２０に連通する第１の空間４Ｃを備えた筐体部４が連結されている。そして、筐体部４の内部には、本体部分９と一体の隔壁９１により仕切られて隔絶された第２の空間４Ｄが形成され、この空間４Ｄ内に外部ノイズ検知用マイクロホン１０が収容されている。これにより、ドライバユニット背面側空間２０からの背圧の影響が、筐体部４側の第１の空間４Ｃの容積拡大部分および背圧開放孔９Ｃにより緩和されると共に、低域での再生効果を高めることができる。
【００３０】
一方、第２の空間４Ｄでは、第１の空間４Ｃと隔絶されていることによりドライバユニット８背面側からの背圧の影響を受けないので、第２の空間４Ｄに収容されている外部ノイズ検知用マイクロホン１０のハウリングを確実に防止して外部ノイズのみをノイズキャンセル対象とすることができ、より精度の高いノイズキャンセルが可能になる。しかも、外部ノイズ取り込み口４Ｂ１は、外部ノイズ検知用マイクロホン１０のほぼ中央に対向して設けられているのでマイクロホンに対する外部ノイズの指向性を高めることができ、感度の低下を抑制することができる。
【００３１】
外部ノイズ検知用マイクロホン１０の収音中心軸とドライバユニット８の放音中心軸は互いに直交するようにノイズ検知用マイクロホン１０とドライバユニット８が配置されているため、マイクロホン１０はドライバユニット８の背面側からの背圧の影響をより一層受けにくい配置関係になっていて、より一層精度の高いノイズキャンセル効果を得ることができる。
【００３２】
本実施例においては、筐体部４が、その本体部分９に別体の外郭部材４Ａ、４Ｂを組み付けるようになっている。これに加えて、筐体部４の本体部分９は、ハウジング２のほぼ半体を構成する背面側の周壁２Ｂと一体成形されているため、組み立てが容易であるとともに、部品数を少なくすることができるため、工数を減らすことができ、コストダウンを図ることができ、安価に製造できるメリットがある。
【００３３】
本実施例では、イヤホン１の使用状態において、第１の空間４Ｃを構成する外郭部４Ａは、前面すなわちユーザーの顔面と略平行な面になり、この面は外表面を膨出させない平坦面に近い形状に形成されている。この外郭部４Ａの前面を意匠面として用いることができ、画像や彫刻さらには、商標などを施すことで広告効果を得ることができる。
【００３４】
また、本発明に係るイヤホン１は、図示しないが、隔壁９１に接続用の孔を設けることなく、ドライバユニット８と外部ノイズ検知用マイクロホン１０とを接続しているため、音が漏れにくく、容易に組立てられる構造とすることができる。なお、ドライバユニット８と外部ノイズ検知用マイクロホン１０との接続方法は、適宜の設計思想が選択できる。
【００３５】
本発明は、以上説明した実施例に構成に限定されるものではなく、特許請求の範囲に記載した技術思想を逸脱しない範囲で適宜設計変更することができる。例えば、本発明の技術思想は、補聴器、ヘッドセットなどにも適用可能である。
【符号の説明】
【００３６】
１  イヤホン
２  ハウジング
２０  ドライバユニット背面側空間
４  筐体部
４Ａ、４Ｂ  外郭部
４Ｂ１  外部ノイズ取り込み口
４Ｃ  第１の空間
４Ｄ  第２の空間
８  ドライバユニット
９  筐体部の本体部分
９Ａ  開口
９Ｃ  背圧開放孔
１０  外部ノイズ検知用マイクロホン
【図１】
2011188177.tif 000003
【図２】
2011188177.tif 000004
【図３】
2011188177.tif 000005
【図４】
2011188177.tif 000006
【図５】
2011188177.tif 000007
【手続補正書】
【提出日】平成22年7月14日(2010.7.14)
【手続補正１】
【補正対象書類名】明細書
【補正対象項目名】０００７
【補正方法】変更
【補正の内容】
【０００７】
そこで、図５に示すようなイヤホンが特許文献１によって提案されている。図５に示すイヤホンは、第１のハウジング２０１と、第２のハウジング２０２が連結路２０３を介して連通した構成を用いている。第１のハウジング２０１には、図３、図４に記載したものと同様のドライバユニット１０３が設けられている。さらに上記第２のハウジング２０２の内部空間に低音補償手段として機能する低音補償用振動板２０４が配置されている。このように構成することにより、中高音域の特性に影響を及ぼすことなく低域特性を改善することを目論んでいる。
【手続補正２】
【補正対象書類名】明細書
【補正対象項目名】００１０
【補正方法】変更
【補正の内容】
【００１０】
しかしながら、特許文献１に記載されている図５に示すようなイヤホンによれば、低音補償に用いられる第２のハウジング２０２内には、低音限界周波数を下げるに足る慣性質量を持つ低音補償用振動板２０４を特別に設けることが必要となる。このような低音補償用振動板２０４は、自身の慣性質量が低音域の聴取範囲に影響するが、質量による感度変化、つまり再生音の聴取が困難となるという理由によりむやみに大きくすることができない。したがって、低音の再生域に限界があるだけでなく、低音域の再生を良好なものとするための特別な構成を要することから構成が複雑化する。
【手続補正３】
【補正対象書類名】明細書
【補正対象項目名】００１１
【補正方法】変更
【補正の内容】
【００１１】
また、低音補償用振動板２０４は、第１のハウジング２０１側のドライバユニット１０３から伝搬する音波を確実に受け止めて、いわゆる、堰き止めることにより自身が振動することにより、ドライバユニットの振動板の最低共振周波数よりも低い周波数の音を得るようになっていることから、質量もそれなりに大きくする必要がある。このため、支持構造も強固にする必要があり、大型化する難点がある。
【手続補正４】
【補正対象書類名】明細書
【補正対象項目名】００１２
【補正方法】変更
【補正の内容】
【００１２】
振動板１０３は一般的にポリエチレンテレフタレートなどからなる有機系の薄膜であって、低音補償用振動板２０４は金属となっていることから、両者の質量の違いが大きい。したがって、低音補償用振動板２０４は、実際に振動する時に、振動板１０３の背圧を受けるため、設計において計算通りに低音補償用振動板２０４を振動させるのは極めて困難である。実際には、低音補償用振動板２０４は、単なる音響抵抗になると窺える。さらに振動板１０３と、低音補償用振動板２０４を共存させて音響特性を調整するのも困難である。
【手続補正５】
【補正対象書類名】図面
【補正対象項目名】図２
【補正方法】変更
【補正の内容】
【図２】
2011188177.tif 000008
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
ドライバユニットを収容するハウジングと、
上記ハウジングにおける上記ドライバユニット背面側空間に連通する筐体部と、を備え、
上記筐体部の内部は、隔壁によって少なくとも第１の空間と第２の空間に音響的に隔絶され、
上記第１の空間は、連通孔を介し上記ドライバユニット背面側空間に連通して上記ドライバユニット背面側空間の容積を拡大する中空の空間であり、
上記第２の空間は、ノイズキャンセルのために外部ノイズを検知するマイクロホンが収容された空間であり、
マイクロホンはドライバユニットの背面側からの背圧の影響を受けないように配置されていることを特徴とするイヤホン。
【請求項２】
筐体部には、第１の空間を外部に連通させてドライバユニットの振動板の背面側に生じる背圧を外部に開放するための背圧開放孔が設けられている請求項１に記載のイヤホン。
【請求項３】
マイクロホンの収音中心軸とドライバユニットの放音中心軸が互いに直交するように上記マイクロホンと上記ドライバユニットが配置されている請求項１または２に記載のイヤホン。
【請求項４】
筐体部は、筒状の本体部分と、この本体部分の両側に結合された２つの外郭部とによって構成され、上記本体部分に隔壁が一体に形成されている請求項１乃至３のいずれかに記載のイヤホン。
【請求項５】
ハウジングは前面側周壁とこの前面側周壁に嵌められた背面側周壁によって構成され、上記背面側周壁は、筐体部を構成する本体部分と一体成形されている請求項４に記載のイヤホン。
【請求項６】
使用時において、筐体部を構成する２つの外郭部の一方は外側面が前面になり、この前面は意匠面として用いることができる請求項４に記載のイヤホン。
【手続補正２】
【補正対象書類名】明細書
【補正対象項目名】００１６
【補正方法】変更
【補正の内容】
【００１６】
本発明にかかるイヤホンは、ドライバユニットを収容するハウジングと、上記ハウジングにおける上記ドライバユニット背面側空間に連通する筐体部と、を備え、上記筐体部の内部は、隔壁によって少なくとも第１の空間と第２の空間に音響的に隔絶され、上記第１の空間は、連通孔を介し上記ドライバユニット背面側空間に連通して上記ドライバユニット背面側空間の容積を拡大する中空の空間であり、上記第２の空間は、ノイズキャンセルのために外部ノイズを検知するマイクロホンが収容された空間であり、マイクロホンはドライバユニットの背面側からの背圧の影響を受けないように配置されていることを最も主要な特徴とする。
【手続補正３】
【補正対象書類名】明細書
【補正対象項目名】００２６
【補正方法】変更
【補正の内容】
【００２６】
一体成形された筐体部４とハウジング２の背面側の外郭部２Ｂとの間には連通孔９Ａが形成されている。この連通孔９Ａを介して、ハウジング２のドライバユニット背面側空間２０と、筐体部４の本体部分９に外郭部４Ａが嵌合されることによって形成されている第１の空間４Ｃが連通している。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
ドライバユニットを収容するハウジングと、
上記ハウジングにおける上記ドライバユニット背面側空間に連通する筐体部と、を備え、
上記筐体部の内部は、隔壁によって少なくとも第１の空間と第２の空間に音響的に隔絶され、
上記第１の空間は、連通孔を介し上記ドライバユニット背面側空間に連通して上記ドライバユニット背面側空間の容積を拡大する中空の空間であり、
上記第２の空間は、ノイズキャンセルのために外部ノイズを検知するマイクロホンが収容された空間であり、
上記マイクロホンは、上記隔壁によって上記第１の空間と第２の空間が音響的に隔絶されることによりドライバユニットの背面側からの背圧の影響を受けないように配置されていることを特徴とするイヤホン。
【請求項２】
筐体部には、第１の空間を外部に連通させてドライバユニットの振動板の背面側に生じる背圧を外部に開放するための背圧開放孔が設けられている請求項１に記載のイヤホン。
【請求項３】
マイクロホンの収音中心軸とドライバユニットの放音中心軸が互いに直交するように上記マイクロホンと上記ドライバユニットが配置されている請求項１または２に記載のイヤホン。
【請求項４】
筐体部は、筒状の本体部分と、この本体部分の両側に結合された２つの外郭部とによって構成され、上記本体部分に隔壁が一体に形成されている請求項１乃至３のいずれかに記載のイヤホン。
【請求項５】
ハウジングは前面側周壁とこの前面側周壁に嵌められた背面側周壁によって構成され、上記背面側周壁は、筐体部を構成する本体部分と一体成形されている請求項４に記載のイヤホン。
【請求項６】
使用時において、筐体部を構成する２つの外郭部の一方は外側面が前面になり、この前面は意匠面として用いることができる請求項４に記載のイヤホン。
【手続補正２】
【補正対象書類名】明細書
【補正対象項目名】００１６
【補正方法】変更
【補正の内容】
【００１６】
本発明にかかるイヤホンは、ドライバユニットを収容するハウジングと、上記ハウジングにおける上記ドライバユニット背面側空間に連通する筐体部と、を備え、上記筐体部の内部は、隔壁によって少なくとも第１の空間と第２の空間に音響的に隔絶され、上記第１の空間は、連通孔を介し上記ドライバユニット背面側空間に連通して上記ドライバユニット背面側空間の容積を拡大する中空の空間であり、上記第２の空間は、ノイズキャンセルのために外部ノイズを検知するマイクロホンが収容された空間であり、上記マイクロホンは、上記隔壁によって上記第１の空間と第２の空間が音響的に隔絶されることによりドライバユニットの背面側からの背圧の影響を受けないように配置されていることを最も主要な特徴とする。